【手続補正書】
【提出日】平成18年1月17日(2006.1.17)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2005517055.tif 000001
［式中、
Ｒは、式（II）：
【化２】
2005517055.tif 000002
で示されるラジカルであるか；あるいは
Ｒは、ナフチル、アントラシル、フェナントリル又は複素環ラジカルであって、このナフチル、アントラシル、フェナントリル及び／又は複素環ラジカルは、非置換であるか、又はＣ1−Ｃ8アルキル、フェニル、ＯＲ6、ＳＲ7及び／若しくはＮＲ8Ｒ9により置換されており（ここで、置換基：ＯＲ6、ＳＲ7、ＮＲ8Ｒ9は、基Ｒ6、Ｒ7、Ｒ8及び／又はＲ9を介して、ナフチル、アントラシル若しくはフェナントリル環上又は複素環上の更に別の置換基と一緒に、あるいはナフチル、アントラシル若しくはフェナントリル環の炭素原子の１個又は複素環の炭素原子の１個と一緒に、５員又は６員環を形成してもよく；そして
Ｒ1、Ｒ2、Ｒ3、Ｒ4及びＲ5は、相互に独立に、水素；非置換Ｃ1−Ｃ12アルキル、又はＯＨ、Ｃ1−Ｃ4アルコキシ、フェニル、ナフチル、ハロゲン、ＣＮ及び／若しくは−Ｏ（ＣＯ）Ｒ10により置換されているＣ1−Ｃ12アルキルであるか；あるいは１個以上の酸素原子により不連続に中断されているＣ2−Ｃ12アルキルであるか；あるいはＯＲ6；ＳＲ7；ＮＲ8Ｒ9；ハロゲン；非置換又はＣ1−Ｃ4アルキル−及び／若しくはＣ1−Ｃ4アルコキシ−置換フェニルであり［ここで、置換基：ＯＲ6、ＳＲ7、ＮＲ8Ｒ9は、基Ｒ6、Ｒ7、Ｒ8及び／又はＲ9を介して、フェニル環上の更に別の置換基と一緒に、又はフェニル環の炭素原子の１個と一緒に、５員又は６員環を形成してもよい］；
Ｒ6及びＲ7は、相互に独立に、水素；非置換Ｃ1−Ｃ12アルキル、又はＯＨ、Ｃ1−Ｃ4アルコキシ、フェニル、フェノキシ及び／若しくは−Ｏ（ＣＯ）Ｒ10により置換されているＣ1−Ｃ12アルキルであるか；あるいは１個以上の酸素原子により不連続に中断されているＣ2−Ｃ12アルキルであるか；あるいは非置換の、フェニル、Ｃ3−Ｃ6アルケニル、シクロペンチル、シクロヘキシル又はナフチルであるか；あるいはＣ1−Ｃ4アルコキシ−、フェニル−及び／若しくはＣ1−Ｃ4アルキル−置換の、フェニル、Ｃ3−Ｃ6アルケニル、シクロペンチル、シクロヘキシル又はナフチルであり；
Ｒ8及びＲ9は、相互に独立に、水素；非置換Ｃ1−Ｃ12アルキル、又はＯＨ、Ｃ1−Ｃ4アルコキシ及び／若しくはフェニルにより置換されているＣ1−Ｃ12アルキルであるか；あるいは１個以上の酸素原子により不連続に中断されているＣ2−Ｃ12アルキルであるか；あるいはフェニル、−Ｏ（ＣＯ）Ｒ10又はＳＯ2Ｒ11であるか；あるいは
Ｒ8及びＲ9は、これらが結合している窒素原子と一緒に、中断されていないか、又は−Ｏ−若しくは−ＮＲ12−により中断されている、５員、６員又は７員環を形成しており；
Ｒ10は、Ｃ1−Ｃ8アルキル；非置換フェニル；又はＣ1−Ｃ4アルキル及び／若しくはＣ1−Ｃ4アルコキシにより置換されているフェニルであり；
Ｒ11は、Ｃ1−Ｃ12アルキル、非置換フェニル、又はＣ1−Ｃ4アルキルにより置換されているフェニルであり；
Ｒ12は、水素；非置換Ｃ1−Ｃ8アルキル；ＯＨ又はＣ1−Ｃ4アルコキシにより置換されているＣ1−Ｃ8アルキル；非置換フェニル；ＯＨ、Ｃ1−Ｃ4アルキル及び／又はＣ1−Ｃ4アルコキシにより置換されているフェニルである）；そして
ｓは、１〜１０００の数であり；
Ａは、ｓが１ならば、式（III）：
【化３】
2005517055.tif 000003
（式中、式（IIIa）、（IIIb）及び／又は（IIIc）：
【化４】
2005517055.tif 000004
で示される単位が、ランダムに、又はブロックとして分布しており；そして
Ｇ1は、Ｃ1−Ｃ18アルキル又は下記式：
【化５】
2005517055.tif 000005
で示される基であり；
Ｇ2は、Ｃ1−Ｃ18アルキル又は下記式：
【化６】
2005517055.tif 000006
で示される基であり［ただし、Ｇ2がアルキルならば、基Ｇ2は、酸素ブリッジなしにケイ素原子に直接結合している］；
Ｒ13、Ｒ14、Ｒ15、Ｒ17、Ｒ18、Ｒ19、Ｒ20、Ｒ21及びＲ22は、相互に独立に、Ｃ1−Ｃ18アルキル、フェニル、Ｃ2−Ｃ6ヒドロキシアルキル、Ｃ2−Ｃ6アミノアルキル又はＣ5−Ｃ8シクロアルキルであり；
Ｒ16は、非置換Ｃ1−Ｃ18アルキル；ヒドロキシル、Ｃ1−Ｃ12アルコキシ、ハロゲン、Ｃ3−Ｃ8シクロアルキル及び／若しくはＮ（Ｒ8）（Ｒ9）により置換されているＣ1−Ｃ18アルキル；非置換フェニル；Ｃ1−Ｃ12アルキル、Ｃ1−Ｃ12アルコキシ、ハロゲン、ヒドロキシル及び／若しくはＮ（Ｒ8）（Ｒ9）により置換されているフェニル；又はＣ5−Ｃ8シクロアルキルである）で示される界面活性基であるか；あるいは
Ａは、ｓが１より大きいならば、式（III）（式中、ｎは、ｓという数であり；
ｎは、１〜１０００、又はシロキサン出発物質が、オリゴマーシロキサンの混合物であるならば、０．１〜１０００の数であり；
ｍは、０〜１００の数であり；
ｐは、０〜１０，０００の数である）の基であり；そして
Ｙは、二価基：Ｃ3−Ｃ12シクロアルキレン、Ｃ6−Ｃ12ビシクロアルキレン；Ｃ1−Ｃ6アルキレン−Ｃ3−Ｃ12シクロアルキレン、Ｃ1−Ｃ6アルキレン−Ｃ6−Ｃ12ビシクロアルキレン、又は１つ以上のＣ3−Ｃ12シクロアルキレン、−Ｕ−Ｃ3−Ｃ12シクロアルキレン、Ｃ6−Ｃ12ビシクロアルキレン若しくは−Ｕ−Ｃ6−Ｃ12ビシクロアルキレンにより不連続に中断されているＣ1−Ｃ10アルキレン；１つ以上のＯと、Ｃ3−Ｃ12シクロアルキレン、−Ｕ−Ｃ3−Ｃ12シクロアルキレン、Ｃ6−Ｃ12ビシクロアルキレン及び／若しくは−Ｕ−Ｃ6−Ｃ12ビシクロアルキレンにより不連続に中断されているＣ1−Ｃ10アルキレン；下記式：
【化７】
2005517055.tif 000007
で示される基であり；
Ｕは、Ｕ’又はＵ”であり；
Ｕ’は、−（ＣＨ2）aＣＯＯ−であり；
Ｕ”は、−Ｓｉ（ＣＨ3）（ＣＨ3）−又は−（ＣＨ2）a−Ｓｉ（ＣＨ3）（ＣＨ3）−であり；
ａは、１〜１０の数であり；
ｂは、０〜１０の数である（ただし、当該メチレン基が、２個の酸素原子の間にあるならば、これらは少なくとも１である）］で示される界面活性光開始剤。
【請求項２】
（Ａ）少なくとも１つのエチレン不飽和遊離ラジカル光重合性化合物；及び
（Ｂ）少なくとも１つの、請求項１記載の式（Ｉ）の界面活性光開始剤を含む組成物。
【請求項３】
（Ａ）少なくとも１つのエチレン不飽和遊離ラジカル光重合性化合物；
（Ｂ）少なくとも１つの、請求項１記載の式（Ｉ）の界面活性光開始剤、及び
（Ｃ）少なくとも１つの熱架橋性化合物を含み、そして場合により、成分（Ａ）と（Ｂ）、又は（Ａ）、（Ｂ）及び（Ｃ）の他に、更に別の添加物（Ｄ）及び／又は追加の光開始剤（Ｅ）を含む組成物。
【請求項４】
安定なひっかき抵抗性の表面を持つコーティングの製造方法であって、
（１）（Ａ）エチレン不飽和重合性化合物；及び
（Ｂ）請求項１記載の式（Ｉ）の界面活性光開始剤を含む、光硬化性配合物を調製し；
（２）この配合物を基体に適用し；そして
（３）２００nmからＩＲ領域にかけての波長範囲の電磁放射線への曝露だけによるか、あるいは２００nmからＩＲ領域にかけての波長範囲の電磁放射線への曝露と、事前、同時及び／又は事後の熱への曝露によって配合物を硬化させる方法。
【請求項５】
エチレン不飽和光重合性化合物を含むコーティングの表面への光開始剤を堆積させる方法であって、請求項１記載の式（Ｉ）の界面活性光開始剤を、エチレン不飽和光重合性化合物を含む光重合性混合物に添加する方法。